(57)【要約】  本発明は、第１クロック信号（ＳＦｏ）を使用して、受信信号（ＲＳ）内の基準イベント（ＥＶＴ１）の特性を測定する段階と、前記第１クロック信号を使用して、受信信号（ＲＳ）内の第２イベント（ＥＶＴ２、Ｄ０）の特性の変動を判定する段階と、前記第２イベントの特性の変動によって、前記測定値（ＮＥＶＴ１、ＮＦＣ）を訂正する段階と、前記第１クロック信号を使用して、前記訂正する測定値（ＮＦＣ）によって第２クロック信号（ＳＦＣ）を生成する段階と、を具備するクロック信号を生成する方法に関する。非接触チップの送受信回路への応用。
2009507442.tif 000002
【特許請求の範囲】
【請求項１】
第１クロック信号（ＳＦｏ）を使用して、受信信号（ＲＳ）内の基準イベント（ＥＶＴ１）の特性の第１測定値（ＮＥＶＴ１）を取得する段階と、
前記第１クロック信号を使用して、前記第１測定値によって、第２クロック信号（ＳＦＣ）を生成する段階と、
を具備するクロック信号を生成する方法において、
第１クロック信号（ＳＦｏ）を使用して、受信信号（ＲＳ）内の少なくとも第２イベント（ＥＶＴ２、Ｄ０）の特性の変動を判定する段階と、 
前記第２イベントの特性の変動によって、前記第１測定値（ＮＥＶＴ１、ＮＦＣ）を訂正する段階と、 
を具備し、前記第２イベントは、前記基準イベントと区別されており、前記第２クロック信号（ＳＦＣ）は、前記訂正された第１測定値によって生成されることを特徴とするクロック信号を生成する方法。
【請求項２】
前記受信信号（ＲＳ）内で最初に発生する前記第２イベント（ＥＶＴ２、Ｄ０）の特性の第２測定値（ＮＥＶＴ２０、ＮＤ００）を取得する段階と、
前記受信信号内で新たに発生する前記第２イベントの特性の第３測定値（ＮＥＶＴ２、ＮＤ０）を取得する段階と、 
前記第３測定値を前記第２測定値と比較する段階と、
前記比較の結果によって、前記第１測定値（ＮＥＶＴ１、ＮＦＣ）を訂正する段階と、
を具備し、前記第２及び第３測定値は、前記第１クロック信号（ＳＦｏ）を使用して取得されることを特徴とする請求項１に記載の方法。
【請求項３】
前記受信信号（ＲＳ）内で新たに発生する各々の前記第２イベント（ＥＶＴ２、Ｄ０）の特性が測定されるとともに、前記測定値は、前記第２測定値と比較され、前記第１測定値（ＮＥＶＴ１、ＮＦＣ）は、前記比較の結果によって訂正されることを特徴とする請求項２に記載の方法。
【請求項４】
前記受信信号内の各々のイベント（ＥＶＴ１、ＥＶＴ２、Ｄ０）は、２つの端部を具備するパルスであるとともに、前記測定値は、前記２つの端部の間の第１クロック信号（ＳＦｏ）のパルスの数をカウントすることによって取得されることを特徴とする請求項１−３の１つに記載の方法。
【請求項５】
前記第２クロック信号（ＳＦＣ）は、前記第１クロック信号（ＳＦｏ）の周波数（Ｆｏ）を、前記第１測定値（ＮＥＶＴ１、ＮＦＣ）で除算することによって生成することを特徴とする請求項１−４の１つに記載の方法。
【請求項６】
前記第１測定値（ＮＥＶＴ１）は、前記第２クロック信号（ＳＦＣ）を生成するのに使用される前に、まず定数（Ｒ）によって除算されることを特徴とする請求項１−５の１つに記載の方法。
【請求項７】
前記第１測定値（ＮＥＶＴ１、ＮＦＣ）は、もし、前記第２イベント（ＥＶＴ２、Ｄ０）の特性の変動が所定のしきい値を超過したら、訂正されることを特徴とする請求項１−６の１つに記載の方法。
【請求項８】
前記第１測定値（ＮＥＶＴ１、ＮＦＣ）は、前記第２イベント（ＥＶＴ２、Ｄ０）の特性の変動が増加する又は減少するかに依存して、前記第１測定値に固定値をインクリメントする又はデクリメントすることによって訂正されることを特徴とする請求項１−７の１つに記載の方法。
【請求項９】
第１クロック信号（ＳＦｏ）を使用して、受信信号（ＲＳ）内の基準イベント（ＥＶＴ１）の特性の第１測定値（ＮＥＶＴ１）を取得する測定手段（ＣＰＴ１、ＳＭ）と、 
前記第１クロック信号を使用して、前記第１測定値によって、第２クロック信号（ＳＦＣ）を生成する生成手段（ＣＰＴ２）と、
を具備するクロック信号を生成する装置において、
前記第１クロック信号（ＳＦｏ）を使用して、受信信号（ＲＳ）内の少なくとも第２イベント（ＥＶＴ２、Ｄ０）の特性の変動を判定する手段（Ｃ１、Ｃ２）と、
前記第２イベント（ＥＶＴ２、Ｄ０）の特性の変動によって、前記第１測定値（ＮＥＶＴ１、ＮＦＣ）を訂正する訂正手段（ＣＯＲ）と、 
を具備し、
前記第２イベントは、前記基準イベントから区別され、前記第２クロック信号（ＳＦＣ）は、訂正された前記第１測定値によって生成されることを特徴とするクロック信号を生成する装置。
【請求項１０】
前記測定手段（ＣＰＴ１、ＳＭ）は、前記受信信号（ＲＳ）内で最初に発生する前記第２イベント（ＥＶＴ２、Ｄ０）の特性の第２測定値（ＮＥＶＴ２０、ＮＤ００）と、前記受信信号内で新たに発生する前記第２イベントの特性の第３測定値（ＮＥＶＴ２、ＮＤ０）とを取得し、前記装置は、前記第３測定値を前記第２測定値と比較する比較手段（Ｃ１、Ｃ２）を具備し、前記訂正手段（ＣＯＲ）は、前記比較の結果によって前記第１測定値（ＮＥＶＴ１、ＮＦＣ）を訂正することを特徴とする請求項９に記載の装置。
【請求項１１】
前記測定手段（ＣＰＴ１、ＳＭ）は、前記受信信号（ＲＳ）内で新たに発生する各々の前記第２イベント（ＥＶＴ２、Ｄ０）の特性の測定値（ＮＥＶＴ２、ＮＤ０）を取得し、前記比較手段（Ｃ１、Ｃ２）は、各々の新たな測定値を前記第２測定値（ＮＥＶＴ２０、ＮＤ００）と比較するとともに、前記訂正手段（ＣＯＲ）は、各々の比較時に前記第１測定値（ＮＥＶＴ１、ＮＦＣ）を訂正することを特徴とする請求項１０に記載の装置。
【請求項１２】
前記受信信号（ＲＳ）内の各々のイベント（ＥＶＴ１、ＥＶＴ２、Ｄ０）は、２つの端部を具備するパルスであるとともに、前記測定値は、前記２つの端部の間の前記第１クロック信号（ＳＦｏ）のパルスの数をカウントすることによって取得されることを特徴とする請求項９−１１の１つに記載の装置。
【請求項１３】
前記第２クロック信号（ＳＦＣ）を生成するための生成手段（ＤＩＶ、ＣＰＴ２）は、前記第１クロック信号（ＳＦｏ）の周波数（Ｆｏ）を、前記第１測定値（ＮＥＶＴ１、ＮＦＣ）で除算することを特徴とする請求項９−１２の１つに記載の装置。
【請求項１４】
前記第２クロック信号（ＳＦＣ）を生成するための前記生成手段（ＤＩＶ、ＣＰＴ２）は、最初に、前記第１測定値（ＮＥＶＴ１）を定数（Ｒ）で除算し、前記除算の結果（ＮＦＣ）は、前記第２クロック信号（ＳＦＣ）を生成するのに使用されることを特徴とする請求項９−１３の１つに記載の装置。
【請求項１５】
前記訂正手段（ＣＯＲ）は、もし前記第２イベント（ＥＶＴ２、Ｄ０）の特性の変動が、所定のしきい値を超過したら、第１測定値（ＮＥＶＴ１、ＮＦＣ）に訂正を適用することを特徴とする請求項９−１４の１つに記載の装置。
【請求項１６】
前記訂正手段（ＣＯＲ）は、前記第２イベント（ＥＶＴ２、Ｄ０）の特性の変動が増加する又は減少しているかに依存して、前記第１測定値に固定値をインクリメントする又はデクリメントすることによって、前記第１測定値（ＮＥＶＴ１、ＮＦＣ）への訂正を適用することを特徴とする請求項９−１５の１つに記載の装置。
【請求項１７】
請求項９−１６の１つに記載の装置を具備することを特徴とする集積回路（ＴＧ）。
【請求項１８】
変調電磁放射信号を送信及び受信する送受信回路（ＲＦＳＴ、ＭＯＤ、ＤＥＭ、ＤＥＣ）と、受信電磁放射信号を使用して、前記集積回路の供給電圧を生成する電力供給回路（ＲＦＳＴ）と、演算処理装置（ＣＰＵ）と、不揮発性メモリ（ＭＥＭ）とを具備することを特徴とする請求項１７に記載の集積回路（ＴＧ）。
【発明の詳細な説明】
【技術分野】
【０００１】
本発明は、集積回路内のクロック信号の生成に関する。
【背景技術】
【０００２】
本発明は、特に、しかしながら排他的ではないが、Ｒａｄｉｏ−Ｆｒｅｑｕｅｎｃｙ  ＩＤｅｎｔｉｆｉｃａｔｉｏｎタグ（ＲＦＩＤ）のような非接触タグに適合する。そのようなタグは、通常、読取装置とデータを交換するための変調電磁放射信号を送信及び受信する送受信回路と、前記読取装置によって生成された電磁場を使用して集積回路の供給電圧を生成する給電回路と、演算処理装置と、たとえば、ＥＥＰＲＯＭタイプの不揮発性メモリとを具備する。
【０００３】
前記タグの送受信回路は、受信データを復号するとともに、読取装置の受信ユニットによって復号可能な信号を送信することが可能であるように、可能な限り変化しないことが必要な周波数のクロック信号を使用する。
【０００４】
さらに、このクロック信号は、前記読取装置のクロック信号と同期化しなければならない。この目的のため、前記読取装置は、前記タグに基準信号を送信し、それを使用して、前記タグは、そのクロック信号の周波数を調節する。
【０００５】
現在では、一定の周波数を具備するクロック信号を生成するために、通常は基準周波数を生成するローカル発振器が使用され、それによって、クロック信号が生成される。
【０００６】
しかしながら、非接触タグのような集積回路内でそのような基準周波数を生成するのは困難である。実際に、発振器は、それらの環境、及び特に、温度変化に影響を受けやすい。さらに、非接触タグは、非常に変化の多い環境にさらされうる。さらに、タグの内部温度は、読取装置との通信セッションの間に著しく変化しうる。結果として、前記ローカル発振器によって生成される基準周波数も、通信セッションの間に変化しうる。
【０００７】
さらに、前記タグに、そのクロック周波数を判定することを可能にさせる前記基準信号は、通常、読取装置との通信セッションを開始する時に、一度のみ送信される。結果として、前記タグは、セッションの間に、そのクロック周波数を何回か再調節することは不可能である。
【発明の開示】
【発明が解決しようとする課題】
【０００８】
本発明の目的は、受信信号をベースとしてクロック周波数を制御することである。
【課題を解決するための手段】
【０００９】
この目的は、
第１クロック信号を使用して、受信信号内の基準イベントの特性（ｃａｒａｃｔｅｒｉｓｔｉｑｕｅ）の第１測定値（ｍｅｓｕｒｅ）を取得する段階と、
前記第１測定値による前記第１クロック信号を使用して、第２クロック信号を生成する段階と、
を具備するクロック信号を生成する方法を構成することによって達成される。
【００１０】
本発明によると、前記方法は、
前記第１クロック信号を使用して、受信信号内の少なくとも第２イベントの特性の変動を判定する段階と、
前記第２イベントの特性の変動によって、前記第１測定値を訂正する段階と、
を具備し、
前記第２イベントは、前記基準イベントと区別されており、前記第２クロック信号は、訂正された前記第１測定値によって生成される。
【００１１】
本発明の１つの実施形態によると、前記方法は、前記受信信号内で最初に発生する前記第２イベントの特性の第２測定値を取得する段階と、
前記受信信号内で新たに発生する前記第２イベントの特性の第３測定値を取得する段階と、
前記第３測定値を前記第２測定値と比較する段階と、
前記比較の結果によって、前記第１測定値を訂正する段階と、
を具備し、前記第２及び第３測定値は、前記第１クロック信号を使用して取得される。
【００１２】
本発明の一実施形態によると、前記受信信号内で新たに発生する各々の前記第２イベントの特性が測定されるとともに、前記測定値は、前記第２測定値と比較され、前記第１測定値は、前記比較の結果によって訂正される。
【００１３】
本発明の一実施形態によると、受信信号内の各々のイベントは、２つの端部を具備するパルスであるとともに、前記測定値は、前記２つの端部の間の前記第１クロック信号のパルスの数をカウントすることによって取得される。
【００１４】
本発明の一実施形態によると、前記第２クロック信号は、前記第１クロック信号の周波数を、前記第１測定値で除算することによって生成する。
【００１５】
本発明の１つの実施形態によると、前記第１測定値は、前記第２クロック信号を生成するのに使用される前に、まず定数で除算する。
【００１６】
本発明の１つの実施形態によると、前記第１測定値は、前記第２イベントの特性の変動が、所定のしきい値を超過すると、訂正される。
【００１７】
本発明の一実施形態によると、前記第１測定値は、前記第２イベントの特性の変動が増加する又は減少するかに依存して、前記第１測定値に固定値をインクリメントする又はデクリメントすることによって訂正される。
【００１８】
本発明は、また、
第１クロック信号を使用して、受信信号内の基準イベントの特性の第１測定値を取得する測定手段と、
前記第１測定値による前記第１クロック信号を使用して、第２クロック信号を生成する生成手段と、
を具備する、クロック信号を生成する装置に関する。
【００１９】
本発明によると、前記装置は、
前記第１クロック信号を使用して、受信信号内の少なくとも第２イベントの特性の変動を判定する手段と、
前記第２イベントの特性の変動によって、前記第１測定値を訂正する訂正手段と、
を具備し、
前記第２イベントは、前記基準イベントから区別されており、前記第２クロック信号は、前記訂正された第１測定値によって生成される。
【００２０】
本発明の一実施形態によると、前記測定手段は、前記受信信号内で最初に発生する前記第２イベントの特性の第２測定値と、前記受信信号内で新たに発生する第２イベントの特性の第３測定値とを取得し、前記装置は、前記第３測定値を前記第２測定値と比較する比較手段を具備し、前記訂正手段は、前記比較の結果によって、前記第１測定値を訂正することを特徴とする。
【００２１】
本発明の一実施形態によると、前記測定手段は、前記受信信号内で新たに発生する前記第２イベントの特性の測定値を取得し、前記比較手段は、各々の新たな測定値を前記第２測定値と比較し、かつ前記訂正手段は、各々の比較時に前記第１測定値を訂正する。
【００２２】
本発明の一実施形態によると、前記第２クロック信号を生成する前記生成手段は、前記第１クロック信号の周波数を、前記第１測定値で除算する。
【００２３】
本発明の一実施形態によると、前記第２クロック信号を生成する前記生成手段は、最初に、前記第１測定値を定数で除算し、前記除算の結果は、前記第２クロック信号を生成するのに使用される。
【００２４】
本発明の一実施形態によると、前記訂正手段は、もし前記第２イベントの特性の変動が所定のしきい値を超過すると、前記第１測定値に訂正を適用する。
【００２５】
本発明の一実施形態によると、前記訂正手段は、前記第２イベントの特性の変動が増加している又は減少しているかに依存して、前記第１測定値を固定値だけインクリメントする又はデクリメントすることによって、前記第１測定値の訂正を適用する。
【００２６】
本発明は、また、上記で定義された装置を具備する集積回路に関する。
【００２７】
本発明の一実施形態によると、前記集積回路は、変調電磁放射信号を送信及び受信する送受信回路と、受信電磁放射信号を使用して、前記集積回路の供給電圧を生成する電力供給回路と、演算処理装置と、不揮発性メモリとを具備する。
【発明を実施するための最良の形態】
【００２８】
本発明のこれら及び他の目的、特徴及び利点は、非限定的な添付図面と関係させて与えられる本発明の実施形態の以下の説明で、より詳細に示される。
【００２９】
図１は、メモリＭＥＭに結合された演算処理装置ＣＰＵを具備する、非接触タグのような集積回路ＴＧを表す。前記演算処理装置は、無線周波数段階ＲＦＳＴに接続されたアンテナ１を使用して、アンテナ２に結合された外部読み取り器ＲＤと通信する。段階ＲＦＳＴは、復調器ＤＥＭ及び変調器ＭＯＤに接続される。前記復調器は、受信及び復調されたデータを演算処理装置ＣＰＵに供給する復号化器ＤＥＣに接続される。前記変調器は、前記演算処理装置によって供給されたデータを変調するとともに、それらが読取装置ＲＤに送信されるように、前記変調データを段階ＲＦＳＴに適用する。演算処理装置ＣＰＵは、アドレス及びデータバスによってメモリＭＥＭに接続されており、それによって、アクセスすべきアドレスＡＤと、前記メモリ内のアドレスＡＤに格納又は読み込まれる語Ｗと、を送信可能にする。
【００３０】
さらに、段階ＲＦＳＴは、読取装置ＲＤによって放射される電場又は電磁場を使用して、集積回路ＴＧに供給する直流電圧Ｖｃｃを生成する。前記集積回路は、また、復号化器ＤＥＣと同期する第１クロック信号ＳＦｏと、変調器ＭＯＤと同期する信号ＳＦＣとを供給に対するクロック信号生成回路ＣＫＧＥＮを具備する。
【００３１】
集積回路ＴＧ及び読取装置ＲＤの間のデータ送信は、たとえば、ＡＳＫ（大きさシフトキーイング）又はＰＳＫ（位相シフトキーイング）変調を使用して実施される。復調器ＤＥＭは、前記復号化器に、その形が受信信号の包絡線に対応する信号ＲＳを供給する。前記復号化器は、受信データを具備する二値信号を取得するために、第１クロック信号ＳＦｏを使用して、この信号をサンプリングする。
【００３２】
図２は、クロック信号生成する回路ＣＫＧＥＮを表す。この回路は、ローカル発振器ＯＳＣ及び第１カウンタＣＰＴ１を具備する。前記発信器は、周波数Ｆｏの第１クロック信号ＳＦｏを生成する。カウンタＣＰＴ１は、復調器ＤＥＭから入来する、クロック信号ＳＦｏ及び信号ＲＳを受信する。前記カウンタの出力は、前記カウンタの値を、レジスタＮＥＶＴ１を具備する、いくつかのレジスタに分配するステートマシンＳＭの入力に接続されている。レジスタＮＥＶＴ１は、出力がレジスタＮＦＣに接続された除算器ＤＩＶの入力に接続される。
【００３３】
回路ＣＫＧＥＮは、クロック信号ＳＦｏを受信するとともにレジスタＮＦＣ内に具備された値で制御される第２カウンタＣＰＴ２を具備する。カウンタＣＰＴ２の出力は、回路ＣＫＧＥＮの出力でクロック信号ＳＦＣを供給する。
【００３４】
第１カウンタＣＰＴ１は、信号ＲＳの増加端部及び降下端部の間の信号ＳＦｏのパルスをカウントする。この目的のために、第１カウンタＣＰＴ１は、信号ＲＳの各々の増加端部で初期化及びトリガされるとともに、この信号の各々の降下端部で停止される。前記カウンタの値は、従って、信号ＲＳのパルスの継続時間に比例する。
【００３５】
ステートマシンＳＭは、前記ステートマシンが接続されている前記レジスタに、前記受信されたフレーム内の異なるイベントの予想される順序により、カウンタＣＰＴ１の値をロードする。各々のイベントは、１つのパルスに対応する。
【００３６】
受信信号ＲＳ内の基準イベントＥＶＴ１の出現に続き、カウンタＣＰＴ１の値は、ステートマシンＳＭによって、レジスタＮＥＶＴ１内にロードされる。除算器ＤＩＶは、このレジスタ内に具備された値を、定数因数Ｒで除算する。前記除算の結果は、レジスタＮＦＣ内に格納される。カウンタＣＰＴ２は、クロック信号ＳＦｏのパルスをカウントするとともに、前記カウンタがレジスタＮＦＣ内に具備された値に到達する度に、１つのパルスを具備するクロック信号ＳＦＣを出力で生成する。
【００３７】
基準イベントＥＶＴ１は、通常、定義済みの継続時間を具備し、読取装置ＲＤ及び集積回路ＴＧの間の通信セッションの最初のフレーム内で単独に送信されるパルスを具備する。前記基準イベントは、集積回路ＴＧが、読取装置ＲＤとデータを交換するために、読取装置ＲＤによって必要とされた値を具備するクロック周波数ＦＣを生成することを可能にさせるために提供する。従って、ローカル発振器ＯＳＣの周波数Ｆｏ内のドリフト発生時に、クロック周波数ＦＣを再調節するために、前記集積回路によって受信信号内で新たに発生する基準イベントを使用することは可能ではない。
【００３８】
本発明によると、回路ＣＫＧＥＮは、ステートマシンＳＭ及び比較器Ｃ１の入力に接続された、２つの追加のレジスタＮＥＶＴ２及びＮＥＶＴ２０を具備する。前記比較器の出力は、前記比較の結果によって、レジスタＮＦＣの値の訂正を適用する訂正回路ＣＯＲの入力に接続される。
【００３９】
２つのレジスタＮＥＶＴ２及びＮＥＶＴ２０は、前記第１イベントと区別された第２イベントＥＶＴ２が、受信信号ＲＳ内に出現したときに、ステートマシンＳＭからカウンタＣＰＴ１の値を受信する。レジスタＮＥＶＴ２０は、前記受信信号内で最初に発生する前記第２イベントが出現したときに、カウンタＣＰＴ１の値を受信する一方、レジスタＮＥＶＴ２は、前記受信信号内で新たに発生する前記第２イベントが出現したときに、カウンタＣＰＴ１の値を受信する。
【００４０】
比較器Ｃ１は、訂正回路ＣＯＲに、２つのレジスタＮＥＶＴ２及びＮＥＶＴ２０内に具備された値の間の差分を供給する。この差分は、前記第２イベントの継続時間の測定値の変動を表す。この継続時間は、読取装置ＲＤによって定義されるとともに、従って、一定に取られる。結果として、この測定値の変動は、前記発信器の周波数Ｆｏの変動を明らかにする。
【００４１】
これらの準備の結果として、たとえクロック周波数ＦＣを判定するのに使用される基準イベントＥＶＴ１が一度のみ送信されても、クロック信号ＳＦＣの周波数ＦＣは、集積回路ＴＧと読取装置ＲＤとの通信セッションの間に、何回か調節される。
【００４２】
前記レジスタ内に格納された値がより高いほど、即ち、測定されたイベントが長く続くほど、前記訂正の精度はより良くなることに留意する。
【００４３】
訂正回路ＣＯＲの一実施形態では、訂正回路ＣＯＲは、前記比較器から受信された値が、所定のしきい値を超過したときに、レジスタＮＦＣの値に対して訂正を適用する。回路ＣＯＲによって適用された訂正は、比較器Ｃ１によって供給された値が、正である又は負であるかに依存して、固定値を前記レジスタの値にインクリメントする又はデクリメントすることを伴うとしても良い。換言すれば、レジスタＮＦＣは、第２イベントＥＶＴ２の特性内の変動が増加する又は減少するかに依存して、インクリメント又はデクリメントされる。この場合、前記訂正回路が、レジスタＮＦＣの内容に対して訂正を適用するときに、前記訂正回路は、レジスタＮＥＶＴ２の内容を、レジスタＮＥＶＴ２０に送信する。
【００４４】
本発明の一実施形態によると、回路ＣＫＧＥＮは、前記ステートマシン及び比較器Ｃ２の入力に接続された、追加の２つの他のレジスタＮＤ０及びＮＤ００を具備する。比較器Ｃ２の出力は、訂正回路ＣＯＲの入力に接続する。２つのレジスタＮＤ０及びＮＤ００は、最初の２つのイベントとは別個の第３イベントが、受信信号ＲＳ内に出現したときに、ステートマシンＳＭから、カウンタＣＰＴ１の値を受信する。レジスタＮＤ００は、前記受信信号内で最初に発生する前記第３イベントが出現したときに、カウンタＣＰＴ１の値を受信し、一方で、レジスタＮＤ０は、前記受信信号内で新たに発生する前記第３イベントが出現したときに、カウンタＣＰＴ１の値を受信する。訂正回路ＣＯＲは、レジスタＮＦＣ内に格納された値を訂正するために、類似の仕方で、比較器Ｃ２の出力を、比較器Ｃ１の出力に使用する。
【００４５】
この配置によって、クロック信号ＳＦＣの周波数ＦＣが、さらにより頻繁に調節されることを可能にさせる。それは、さらに、もし前記第２及び第３イベントの１つが、受信信号内の低い出現周波数を具備するとともに、もし他のイベントの継続時間が、良い精度を取得するのに不十分であるならば、より良い調節精度を取得することを可能にさせる。
【００４６】
図３Ａ及び３Ｂは、フローチャートの形式で、クロック生成回路ＣＫＧＥＮの動作を示す。図３Ａ内のフローチャートは、集積回路ＴＧが、読取装置及び集積回路の間の通信セッションの第１フレームを受信したときに実行される手順を表す。この手順は、次の連続する段階を具備する。
【００４７】
−  段階１１：イベントＥＶＴ１、ＥＶＴ２及びＤ０の出現、及びこれらのイベントの継続時間のレジスタＮＥＶＴ１、ＮＥＶＴ２０及びＮＤ００へのロード。
−  段階１２：イベントＥＶＴ１の継続時間ＮＥＶＴ１によって、レジスタＮＦＣ内に具備する値を計算する段階。
−  段階１３：レジスタＮＦＣの内容によって、周波数ＦＣでクロック信号ＳＦＣを生成する段階。
【００４８】
図３Ｂ内のフローチャートは、前記セッションの間に、前記読取装置ＲＤによって前記集積回路ＴＧに送信される前記第２フレーム及び各々の後続フレームの受信時に実行される手順を表す。この手順は、次の連続する段階を具備する。
【００４９】
段階２１：イベントＥＶＴ２及びＤ０の出現、及びこれらイベントの継続時間のレジスタＮＥＶＴ２及びＮＤ０へのロード。
段階２２：レジスタＮＥＶＴ２及びＮＥＶＴ２０内に具備される値の間の差分Ａと、レジスタＮＤ０及びＮＤ００内に具備される値の間の差分Ｂとを計算する段階。
段階２３：レジスタＮＦＣの前値及びＡ及びＢの差分によって、レジスタＮＦＣの新たな値を計算する段階。
段階２４：レジスタＮＦＣの内容によって、周波数ＦＣでクロック信号ＳＦＣを生成する段階。
【００５０】
図４Ａ及び４Ｂは、読取装置ＲＤによって、セッションの間に集積回路ＴＧに送信された、最初のフレーム及び後続のフレームの形式を表す。前記集積回路によって受信された最初のフレームは、
−区切りシーケンスＤＥＬ
−第３イベントＤ０に対応するとともに、０のビットを具備する第１パルス
−第２イベントＥＶＴ２に対応する第２パルス、及び
−第１イベントＥＶＴ１に対応する第３パルス
を連続的に具備するヘッダブロックを具備する。
【００５１】
続くパルスは、前記フレーム内で送信されたデータの０でビットＤ０に、かつ１でビットＤ１に対応する。
【００５２】
図４Ｂ内で表される後続のフレームは、第１イベントＥＶＴ１に対応するパルスを除いて、前記最初のフレームと同一のパルスを具備するヘッダブロックを具備する。
【００５３】
最長継続時間を具備するパルスは、回路ＣＫＧＥＮの出力信号ＳＦＣのクロック周波数ＦＣを判定するのに使用される第１イベントＥＶＴ１に対応する１つであることが分かる。それに加えて、周波数ＦＣを調節するのに使用される第３イベントＤ０に対応するパルスは、前記フレーム内で最も頻繁に出現するが、３つのイベントの内で最短の継続時間を具備する。
【００５４】
ステートマシンＳＭは、セッションの間に受信されたフレーム内の、対応するイベントの出現の順序によって、レジスタＮＥＶＴ１、ＮＥＶＴ２０、ＮＥＶＴ２ＮＤ００及びＮＤ０内のカウンタＣＰＴ１の連続値を分配する。レジスタＮＥＶＴ１、ＮＥＶＴ２０及びＮＤ００は、セッションの間に最初のフレームが受信された時に満たされる一方で、レジスタＮＥＶＴ２及びＮＤ０は、それぞれ、前記セッションの間に次のフレームが受信されたときに更新される。前記ステートマシンは、また、受信データ内で０のビットを検出するとともに、カウンタＣＰＴ１の値をレジスタＮＤ０にロードすることが可能であるである。
【００５５】
図５Ａ及び５Ｂは、第１フレームの受信時点ｔ０から開始する、次の情報の変動曲線を表す。
−  発信器ＯＳＣによって生成された信号の周波数Ｆｏ
−  レジスタＮＦＣの内容、及び
−  回路ＣＫＧＥＮの出力周波数ＦＣ
【００５６】
図５Ａは、もし、レジスタＮＦＣの内容が一定に留まる一方で周波数Ｆｏが一定でなければ、周波数ＦＣは、実質的に周波数Ｆｏ内の変動に従うとともに、高いＦＣｍ及び低いＦＣｍ周期数で区切られる許容域を離れることを示す。
【００５７】
図５Ｂは、レジスタＮＦＣの内容が、イベントＥＶＴ２および／又はＤ０の継続時間内の変動を測定することによって判定された周波数Ｆｏ内のドリフトに従って、訂正回路ＣＯＲによって訂正されたときの、図５Ａと同一の信号を示す。この図は、もしそのような訂正が実施されると、周波数ＦＣは、許容域ＦＣｍ−ＦＣＭ内部に留まることを示す。
【００５８】
復号化器ＤＥＣによって実施される復号化は、第１クロック信号ＳＦｏによって同期を取得するカウンタＣＰＴ１を通して、２つの端部の間の時間をカウントすることを伴う。取得された前記数は、ＮＥＶＴ２／２と比較される。前記比較の結果は、それが０のデータ（＜ＮＥＶＴ２／２）又は１のデータ（＞ＮＥＶＴ２／２）であるかを指示する。
【００５９】
当業者は、本発明による方法の種々の代替物が考えられるのであることを理解する。このように、本発明は、パルス幅測定によってクロック周波数を調節することに限定されない。たとえば、２つの具体的なイベントの間のパルスの数のような、任意の他の特性を測定することも検討可能である。さらに、パルス継続時間は、同一の又は反対の方向の２つの連続する端部の間（２つの連続する降下端部又は増加端部の間）で測定しても良い。
【００６０】
前記第１イベントの測定値及び前記第２イベントの最初の測定値が、同一の時間に（継続的に、同一のフレーム内で）取得される必要もない。一般的に言うと、測定された前記イベントが、必ずしも同一の信号内に出現する必要はない。
【００６１】
また、除算器ＤＩＶによって実施される除算の前に又は後に関係なく、第１測定値ＮＥＶＴ１を訂正することも検討可能である。前記第１測定値に適用された訂正は、この測定値の前値を考慮することなくこの測定値を判定することを具備しても良い。
【００６２】
本発明は、必ずしも非接触タグに応用しなくても良い。より一般的に、それは、前記受信信号を使用して判定されるクロック周波数を使用する送信および／又は受信する回路を具備する任意のシステムに適合する。
【図面の簡単な説明】
【００６３】
【図１】図１は、非接触タグのアーキテクチャをブロック形式で表す。
【図２】図２は、本発明によるクロック信号生成する回路をブロック形式で表す。
【図３Ａ】図３Ａは、本発明によるクロック信号の周波数を調節する手順のフローチャートである。
【図３Ｂ】図３Ｂは、本発明によるクロック信号の周波数を調節する手順のフローチャートである。
【図４Ａ】図４Ａは、非接触タグに送信された信号形のタイミングダイアグラムの形式を表す。
【図４Ｂ】図４Ｂは、非接触タグに送信された信号形のタイミングダイアグラムの形式を表す。
【図５Ａ】図５Ａは、いかなる制御装置も具備しないクロック生成回路内の特定の信号の変動曲線を表す。
【図５Ｂ】図５Ｂは、図２内で示されたクロック生成回路内の特定の信号の変動曲線を表す。
【符号の説明】
【００６４】
ＲＳ  信号
ＣＫＧＥＮ  クロック信号生成回路
ＣＰＴ１  カウンタ
ＣＰＴ２  カウンタ
ＳＭ  ステートマシン
ＮＥＶＴ２  レジスタ
ＮＥＶＴ２０  レジスタ
ＮＤ０  レジスタ
ＮＤ００  レジスタ
ＮＥＶＴ１  レジスタ
Ｃ１  比較器
Ｃ２  比較器
ＤＩＶ  除算器
ＣＯＲ  訂正回路
ＮＦＣ  レジスタ
ＯＳＣ  ローカル発振器
【図１】
2009507442.tif 000003
【図２】
2009507442.tif 000004
【図３Ａ】
2009507442.tif 000005
【図３Ｂ】
2009507442.tif 000006
【図４Ａ】
2009507442.tif 000007
【図４Ｂ】
2009507442.tif 000008
【図５Ａ】
2009507442.tif 000009
【図５Ｂ】
2009507442.tif 000010
【国際調査報告】
2009507442.tif 000011
2009507442.tif 000012
2009507442.tif 000013
2009507442.tif 000014